(57)【要約】【課題】高画質が得られ、また鮮鋭性と粒状性とを同時に改善するＸ線画像撮影システムを提供する。【解決手段】Ｘ線画像を２次元平面デジタル画像撮影し、２次元画像を出力するＸ線画像撮影システムにおいて、２次元平面デジタル画像撮影の読取画素サイズもしくは読取サンプリングピッチをＡとし、２次元画像出力の書込画素サイズもしくは書込ピッチをＢとするとき、Ａ＞Ｂである。【選択図】図１
2005080854.tif 000002
【特許請求の範囲】
【請求項１】
Ｘ線画像を２次元平面デジタル画像撮影し、２次元画像を出力するＸ線画像撮影システムにおいて、
前記２次元平面デジタル画像撮影の読取画素サイズもしくは読取サンプリングピッチをＡとし、
前記２次元画像出力の書込画素サイズもしくは書込ピッチをＢとするとき、
Ａ＞Ｂであることを特徴とするＸ線画像撮影システム。
【請求項２】
前記Ａ／Ｂが、
１．５≦Ａ／Ｂ≦１０であることを特徴とする請求項１に記載のＸ線画像撮影システム。
【請求項３】
前記Ａ／Ｂが整数であることを特徴とする請求項１または請求項２に記載のＸ線画像撮影システム。
【請求項４】
前記２次元平面デジタル画像撮影のＸ線管の焦点サイズ（ａ）が０．０５≦ａ（ｍｍ）≦０．３であり、
且つ前記２次元平面デジタル画像撮影のデジタルＸ線検出器の画素サイズもしくは読取サンプリングピッチＡが０．０１≦Ａ（ｍｍ）＜０．３であって、
被写体から前記デジタルＸ線検出器までの距離（Ｒ２）が０．１５≦Ｒ２（ｍ）である撮影条件で拡大撮影を行って、
前記書込画素サイズもしくは書込ピッチＢが０．００１≦Ｂ（ｍｍ）≦０．２で画像を出力することを特徴とする請求項１乃至請求項３のいずれか１項に記載のＸ線画像撮影システム。
【請求項５】
画像信号ヘッダーに拡大率を表示することを特徴とする請求項１乃至請求項４のいずれか１項に記載のＸ線画像撮影システム。
【発明の詳細な説明】
【技術分野】
【０００１】
この発明は、拡大撮影を行い、且つその画像信号を処理して出力画像の大きさを縮小して表示することによって、高画質が得られるＸ線画像撮影システムに関し、また鮮鋭性と粒状性とを同時に改善するＸ線画像撮影システムに関し、特に医療分野で用いられると、例えばデジタルマモグラフィ分野において画像診断の精度の向上が期待される。
【背景技術】
【０００２】
医療用のＸ線画像の高画質化は診断精度向上のため、Ｘ線検出器の開発者にとって永遠の課題である。そして近年においては、医用画像分野においても、デジタル化が進みつつある（例えば、特許文献１、特許文献２）。デジタル画像撮影では、画像の読み取りの空間分解能はＸ線検出器の読取画素サイズもしくは読取サンプリングピッチの大きさ（Ａとする）に依存して制限を受ける。この場合、Ａより小さい被写体は描写できず、またＡより大きくとも被写体の輪郭描写が不鮮明となってしまう等の問題がある。
【特許文献１】特開２００２−８５３８９号公報
【特許文献２】特開２００１−２３８８７１号公報
【発明の開示】
【発明が解決しようとする課題】
【０００３】
ここで、単純にＸ線検出器の読取画素サイズもしくは読取サンプリングピッチＡを小さくすると、Ｘ線検出器の微細構造設計や画像情報量が増大することからＸ線検出器のコストが大幅に上がってしまうという不都合が生ずる。そこで、Ｘ線検出器を被写体から離すことにより、拡大撮影を行なうことにより、小さい被写体を描写することができる。
【０００４】
しかしながら、拡大撮影をするとＸ線検出器の単位面積当たりに入射するＸ線量が、被写体からの距離の２乗に比例して少なくなってしまう。この場合、デジタルＸ線検出器を用いるとき、Ｘ線画像の量子ノイズが増加して粒状が荒れた画像となってしまう。
【０００５】
また、拡大撮影を行うと、いわゆる幾何学的不鋭によって画像の鮮鋭性が著しく低下してボケた画像となって診断性が低下するという不都合が生ずる。
【０００６】
以上のような不具合から、従来技術では、画像分解能が高くかつ鮮鋭性と粒状性の優れる高画質のデジタルＸ線画像を得ることができなかった。
【０００７】
この発明は、かかる実情に鑑みてなされたもので、高画質が得られるＸ線画像撮影システムを提供することを目的とし、また鮮鋭性と粒状性とを同時に改善するＸ線画像撮影システムを提供することを目的としている。
【課題を解決するための手段】
【０００８】
前記課題を解決し、かつ目的を達成するために、この発明は、以下のように構成した。
【０００９】
請求項１に記載の発明は、Ｘ線画像を２次元平面デジタル画像撮影し、２次元画像を出力するＸ線画像撮影システムにおいて、
前記２次元平面デジタル画像撮影の読取画素サイズもしくは読取サンプリングピッチをＡとし、
前記２次元画像出力の書込画素サイズもしくは書込ピッチをＢとするとき、
Ａ＞Ｂであることを特徴とするＸ線画像撮影システムである。
【００１０】
請求項２に記載の発明は、前記Ａ／Ｂが、
１．５≦Ａ／Ｂ≦１０であることを特徴とする請求項１に記載のＸ線画像撮影システムである。
【００１１】
請求項３に記載の発明は、前記Ａ／Ｂが整数であることを特徴とする請求項１または請求項２に記載のＸ線画像撮影システムである。
【００１２】
請求項４に記載の発明は、前記２次元平面デジタル画像撮影のＸ線管の焦点サイズ（ａ）が０．０５≦ａ（ｍｍ）≦０．３であり、
且つ前記２次元平面デジタル画像撮影のデジタルＸ線検出器の画素サイズもしくは読取サンプリングピッチＡが０．０１≦Ａ（ｍｍ）＜０．３であって、
被写体から前記デジタルＸ線検出器までの距離（Ｒ２）が０．１５≦Ｒ２（ｍ）である撮影条件で拡大撮影を行って、
前記書込画素サイズもしくは書込ピッチＢが０．００１≦Ｂ（ｍｍ）≦０．２で画像を出力することを特徴とする請求項１乃至請求項３のいずれか１項に記載のＸ線画像撮影システムである。
【００１３】
請求項５に記載の発明は、画像信号ヘッダーに拡大率を表示することを特徴とする請求項１乃至請求項４のいずれか１項に記載のＸ線画像撮影システムである。
【発明の効果】
【００１４】
前記構成により、この発明は、以下のような効果を有する。
【００１５】
請求項１に記載の発明では、２次元平面デジタル画像撮影の読取画素サイズもしくは読取サンプリングピッチをＡとし、２次元画像出力の書込画素サイズもしくは書込ピッチをＢとするとき、Ａ＞Ｂであり、粒状性がよく且つ鮮鋭性のよい被写体と等倍の高画質が得られる。
【００１６】
請求項２に記載の発明は、Ａ／Ｂが１．５≦Ａ／Ｂ≦１０であり、１．５より小さいと、モアレ現象を拾いやすく例えば直線が波うつような状態となって被写体形状を正確に表示することができない。また、Ａ／Ｂが１０以上であると出力画像が小さくなりすぎて画像診断には不向きである。
【００１７】
請求項３に記載の発明では、Ａ／Ｂが整数であり、整数で表示すると出力画像で補完処理が不要となって、より鮮明な画像を出力することができる。
【００１８】
請求項４に記載の発明では、規定の撮影条件で拡大撮影を行って、書込画素サイズもしくは書込ピッチＢが０．００１≦Ｂ（ｍｍ）≦０．２で画像を出力することで、粒状性がよく且つ鮮鋭性のよい被写体と等倍のデジタルＸ線画像を得ることができる。
【００１９】
請求項５に記載の発明では、画像信号ヘッダーに拡大率を表示することで、画像診断情報として拡大率を間違いなく提供することができる。
【発明を実施するための最良の形態】
【００２０】
以下、この発明のＸ線画像撮影システムの実施の形態について説明するが、この発明は、この実施の形態に限定されない。また、この発明の実施の形態は、発明の最も好ましい形態を示すものであり、この発明の用語はこれに限定されない。
【００２１】
この発明の具体的な実施の形態を、図１に示す。この実施の形態のＸ線画像撮影システムは、図１の太線で連結される領域のものであり、Ｘ線画像撮影装置１、画像処理装置２、画像プリント出力装置３及び画像表示装置４から構成される。さらに、点線で連結されるＣＡＤ５、画像信号保存装置６及びインターネット７により大きいシステムに組み込まれることが一般的である。
【００２２】
まず、Ｘ線画像撮影装置１では、２次元平面デジタル画像撮影が行なわれ、このＸ線画像が撮影されると、画像信号が取り出されて画像処理装置２で画像処理が行なわれる。さらに、画像信号は、画像表示装置４で画像表示される。また、画像プリント出力装置３で画像プリント出力される。このとき、画像信号は同軸ケーブルなどの手段で転送することもできるが、電波や光波を使用してコードレスで転送することもできる。
【００２３】
また、図１に示すように、ＣＡＤ（ｃｏｍｐｕｔｅｒ  ａｉｄｅｄ  ｄｅｔｅｃｔｉｏｎ）５で病変の疑わしい領域を自動的に検出して、画像上に表示することができる。また、画像信号は必ずしも１種類に限られたものでなくてよい。すなわち、この実施の形態のＸ線画像撮影システムでは、例えばＣＡＤ５を通した画像信号と、単に画像処理装置２で画像処理のみを行なった画像信号とが、並列もしくは直列、あるいは各々分割してそれらの信号を転送することができる。そして、一つの撮影されたＸ線画像信号は、上記のように複数の画像信号となったときに、それらの画像信号に基づく画像は画像表示装置４あるいは画像プリント出力装置３において同時に表示もしくは出力することができる。また、画像表示を行なうための画像信号と、画像プリントするための画像信号と複数の画像信号を並列もしくは直列、あるいはそれぞれ分割して転送し、さらに各々が別々に画像表示もしくは画像プリント出力することができる。
【００２４】
図１におけるＸ線画像撮影装置１は、いわゆるデジタル画像撮影装置が好ましい態様である。すなわちｃｏｍｐｕｔｅｄ  ｒａｄｉｏｇｒａｐｈｙ  （ＣＲ）、ｆｌａｔ  ｐａｎｅｌ  Ｘ−ｒａｙ  ｄｅｔｅｃｔｏｒ  （ＦＰＤ）、分割型Ｘ線検出器などである。
【００２５】
これらのＸ線検出器は、２次元平面のＸ線検出器であって、被写体全てあるいはその１部を２次元的に撮影することができるものである。このＸ線検出器の特徴としては、２次元の画像をデジタル画像信号として取り出すことができることである。ＣＲの場合は輝尽性蛍光体を含む平面検出器でＸ線画像撮影が行なわれた後に、一定サイズのレーザー光を照射して、照射部分からの可視光発光をＣＣＤあるいは光電子増倍管などで読み取り、デジタル化した上で画像信号として取り出す。このときレーザー光は正方形もしくは長方形、あるいは円形である。この２次元の実質的な画像の面積を取り出し、画像信号単位数で除して、一つの画素の面積が計算できる。これを正方形として、その１辺の長さを読取サイズと定義する。
【００２６】
ＦＰＤはいわゆる直接型と間接型との２種類があるといわれている。この発明においては、これら方式についてはなんら制限するものではない。直接型ＦＰＤではＸ線をａ−Ｓｅなどの照射し、発生した電荷を集めて一旦コンデンサなどに蓄積する。そして、２次元的に順番にその蓄積電荷を取り出して、最終的に画像信号とするものである。ここで、画素とは画像信号を読み取る１単位を全面積で割って得られる４角形の短辺の長さ、あるいは一つのコンデンサ発生する電荷を集める面積の短辺などで定義される。
【００２７】
分割型Ｘ線検出器はＸ線を照射すると可視光を発光する平面のシンチレータに直接にＣＣＤ素子を接してＣＣＤの各画素で画像信号を取り出すものや、ガラスファイバーで発行した光を収集してＣＣＤ画素に導いて画像信号を取り出すもの、あるいはレンズなどを用いて、発光する可視光をＣＣＤに導いて画像信号を取り出すものである。このときの画素はＸ線が照射されるシンチレータの面積を取り出される単位画像信号の数で割って得られる面積を正方形としたときの一辺の大きさ表す。
【００２８】
読取サンプリングピッチサイズもしくは読取画素サイズであるＡは、この発明では上記のように定義する。
【００２９】
図１で示すＸ線画像撮影装置の概略を図２に示す。上記で定義したＡは図２のＸ線検出器１０の画素１０ａの一辺長Ｌに対応する。この発明においてはＡは０．０１ｍ以上で０．３ｍ以下が好ましい態様である。０．０１ｍより小さいときはＸ線検出器１０の製造費用が高くなり、広く使用できる製品として製造することが困難となる。また０．３ｍ以上となると描写する画像が粗くなり、正確な画像診断ができなくなる。
【００３０】
図２における密着撮影とは、被写体１１とＸ線検出器１０あるいはＸ線検出器１０を含む部材に接した状態で撮影することをいう。この場合被写体１１のＸ線検出器側と、Ｘ線検出器１０あるいはそれを含む部材の被写体側の距離をＲ２として定義し、密着撮影はＲ２＝０あるいは実質的に０であることを意味する。実質的に０とはＲ２が０．０５ｍ以下であるときであり、あるいは拡大率が１．１倍より小さいときを意味する。拡大率は投影画像の最大長を被写体本体の対応する部分の長さで除したときに得られる値と定義される。
【００３１】
図２に示すようにＸ線検出器１０が被写体１１より離れて設置すると、Ｘ線から放射状に発光するＸ線により、拡大画像１２を撮影することができる。このときＲ２は０．０５ｍを越える場合や拡大率は１．１倍以上のときが拡大撮影である。本発明においてはＲ２が０．１５ｍ以上であることが好ましい。また上限値としては、実際の撮影室の大きさやＸ線検出器の感度などで制限されるが、５ｍ以下であることが好ましい態様である。
【００３２】
図２にＸ線管１３を示すが、Ｘ線は回転陽極熱電子管が好ましい態様である。すなわち、フィラメントをから電子が放射し、１０ｋＶ以上５００ｋＶまでの任意の電圧をかけた陽極に電子が衝突し、その運動エネルギーが電磁波に変換されてＸ線が放射されるものである。この場合、電子を放出するものがフィラメントでもよいが、カーボンナノチューブを用いても差し支えない。陽極はモリブデンやタングステン金属からなり、熱電子の衝突により発熱で陽極が損傷しないように陽極を回転させることが好ましい。熱電子が陽極に衝突する面積を放射される方向からみたとき、一般に正方形に設計され、焦点とよばれる。その正方形の一変長画焦点サイズと呼ばれ、Ｘ線源の大きさを表すものである。焦点サイズは一般にＸ線製造メーカーがその仕様として提示されるものであり、そしてＪＩＳ  Ｚ４７０２に定められるようにピンホールカメラあるいはテストチャートを用いて測定することができる。
【００３３】
この発明において、焦点サイズａは０．００５ｍｍ以上で０．３ｍｍ以下が好ましい実施態様である。０．００５ｍｍより小さいと、Ｘ線が弱すぎて画像診断撮影ができない。０．３ｍｍより大きいとＸ線検出器１０に投影するＸ線画像にボケが生じて、画像診断に適する鮮明な画像を得ることができない。
【００３４】
被写体１１のＸ線検出器側とＸ線管１３の焦点ａまでの距離をＲ１とする。この距離Ｒ１については０．１５ｍ以上で５ｍ以下が好ましい態様である。Ｒ１が小さいと撮影できる被写体１１の面積が制限され、Ｒ１が大きいとＸ線検出器１０の感度等で制限を受けて撮影が不可となる。
【００３５】
なお、この発明における拡大撮影の拡大率は、（Ｒ１＋Ｒ２）／Ｒ１で定義することもできる。投影面積から計算した結果と比較したとき、より小さい値の方を拡大率として採用することが好ましい。
【００３６】
拡大撮影を実現するために、Ｘ線管１３とＸ線検出器１０の間の所定の距離に被写体１１を固定するための保持具を備える。この保持具はＸ線の透過性のよい素材、例えば一定厚さのプラスチック樹脂製による板状もしくは枠状のものが支え棒に固着されて、地面もしくは支柱で支持される。この保持具はＸ線管１３とＸ線検出器１０の間で可動であり、任意の距離で一時的に固定することができる。Ｘ線管１３からの距離、そしてＸ線検出器１０からの、それぞれからの距離が明示されることが好ましい。
【００３７】
図１で示すＸ線画像撮影装置１で得られるＸ線画像電気信号は増幅回路などを経てＡＤ変換されてデジタルＸ線画像情報が得られる。このデジタル画像情報を用いて、画像処理装置２で周波数強調処理や画像の縮小処理などの画像処理を行う。また、出力画像のコントラストや特性曲線形状、また濃度などをコントロールすることは本発明で有用な実施態様である。例えば特許公報である特開２０００−２４５７２１号報や特開２００１−２９９７３３号報に記載の画像処理を行なうことができる。
【００３８】
図１で示す画像表示はＸ線画像撮影した直後に撮影したい部位が撮影されたことを確認するために使用し、また画像診断を行なうときに使用することを目的にする画像表示装置４を用いることができる。さらに、画像信号はインターネットを介して遠隔地で同様に画像表示することができる。この画像表示には陰極線管（ＣＲＴ）や液晶、プラズマディスプレイ、液晶プロジェクター、有機ＥＬ材料を用いた画像表示装置４などを用いることができる。この画像表示装置４は輝度として４００ｎｉｍ以上で１０００ｎｉｍ以下が好ましい態様である。コントラスト比は２００以上で５０００以下が好ましい態様である。そして情報の深さは８ｂｉｔ以上１６ｂｉｔ以下が好ましい。画面の大きさはとくに制限はないが、撮影した被写体の実体寸法全体が表示されるサイズが好ましい。この画面表示上で患者の名前の確認、撮影拡大率の確認、撮影年月日の確認など文字情報を画像と一緒に表示することは好ましい態様である。また、過去画像やＸ線ＣＴ、ＭＲＩなどのほかのモダリティ画像、切除検体画像や眼底写真などのカラー画像を同時にあるいは別々に表示することは好ましい態様である。また、表示する画像は任意に観察したい被写体部分を選んで、拡大や縮小して表示することができる。このとき、その拡大率が随時画像とともに表示されることが好ましい。また、表示した画像の画面上のコントラストを任意に変化できることは好ましい態様である。また画像濃度についても観察者が任意に随時変化できることは好ましい態様である。また、画像信号ヘッダーに拡大率を表示することで、画像診断情報として拡大率を間違いなく提供することができる。
【００３９】
図１に示す画像プリント出力装置３は、ハロゲン化銀フィルムを露光現像して得れるプリント画像、露光後に熱現像するフォトサーモグラフィ銀塩フィルムプリント、感熱タイプのサーモグラフィ銀塩フィルムプリントや昇華染料で画像を形成するフィルム、カプセルを熱で破壊することで画像を形成すフィルムなどを使用することができる。また、インクジェット方式で透明媒体や不透明媒体上に画像を形成することができる。これらプリンターはインターネット７を通じて送付した画像データをパソコン等で受け取った後に出力してプリント画像を得ることができる。このプリントした画像は上記の画像表示と同様に、患者の氏名や年齢などの患者情報、撮影時の拡大率、撮影日などの文字情報を画像と同時にプリントすることは好ましい態様である。また、過去画像やＸ線ＣＴやＭＲＩなどの別のモダリティ画像、眼底写真や切除検体画像などの画像とともに画像を出力することができる。
【００４０】
この発明においてＸ線検出器１０の読取画素サイズもしくは読取サンプリングピッチをＡとし、画像表示そして画像プリント出力における書込画素サイズもしくは書込ピッチをＢとすると、ＡはＢより大きいことが好ましい態様である。拡大撮影を行なった画像を投影撮影画像より小さいサイズで画像表示もしくは画像プリント出力することによって、Ｘ線量子ノイズを低減して画像を描写することができる。さらにＡ／Ｂの比率が１．５以上で１０以下が好ましい。１．５より小さいと、モアレ現象を拾いやすく例えば直線が波うつような状態となって被写体形状を正確に表示することができない。また、１０以上であると出力画像が小さくなりすぎて画像診断には不向きである。さらにＡ／Ｂの比率が整数であることはより好ましい実施態様である。整数で表示すると出力画像で補完処理が不要となって、より鮮明な画像を出力することができる。
【００４１】
得られた画像信号は一時的もしくは永久保存を目的として画像保存することができる。このとき、光磁気ディスクやＤＶＤなどを用いることができる。また回線を用いて画像信号を離れた場所に送信して、その場所で画像表示されて画像診断が行われることは好ましい態様である。
【００４２】
この発明の撮影システムでは、Ｘ線位相イメージングを行なうことができ、得られた鮮明な画像の鮮明さをできるだけ保持して画像の表示並びに出力画像プリントが可能である。Ｘ線は物体を透過すると、Ｘ線の吸収や散乱によってＸ線の振幅が減少する。同時にＸ線の位相の変化を生ずる。位相の変化は一般に物理現象として屈折や干渉として観測される。干渉として現象をとらえるにはＸ線が高い干渉性を持つ必要があるが、一般に広く使用されている焦点サイズが０．００５ｍｍより小さいＸ線管では得られず、屈折のみが生ずる。このＸ線の屈折によって、被写体からＸ線検出器との距離を離すことにより、図３で示すようにＸ線検出器上で、被写体画像のエッジ効果が観測される。この位相イメージングを実現する方法並びにＸ線画像撮影装置は特許公報の２００１−９１４７９号公報や２００１−３１１７０１号公報などに開示されている。以下に本発明による位相イメージングの実施例を示す。
［実施例］
図４にこの発明の実施例を示す。この実施の形態のＸ線画像撮影システムは、乳房撮影装置２０、輝尽性蛍光プレート２１、画像読取装置２２、画像表示モニター２基２３，２４、ドライイメージャ２５で構成される。
【００４３】
まず、乳房撮影装置２０であるが、焦点サイズが０．１ｍｍと０．３ｍｍのモリブデン回転陽極Ｘ線管であるＸ線源２０ａをもち、被写体台２０ｂと検出器台２０ｃが一体化したものである。これらは回転軸２０ｄを中心に一体として回転することができる。この乳房撮影装置２０ではＲ１＋Ｒ２＝１．１４ｍで固定されており、被写体台２０ｂをＲ１＝０．６５ｍ，０．４３ｍ，０．３６ｍと段階的に設置できる構造である。
【００４４】
この乳房撮影装置２０は、フェイスガード２０ｅ、ボディガード２０ｆ及び圧迫板２０ｇを備え、この圧迫板２０ｇは被写体台２０ｂに乳房を撮影可能に押える。検出器台２０ｃの上には半切サイズの輝尽性蛍光プレート２１が置かれて、乳房Ｘ線画像が撮影される。管電圧は３４ｋＶｐ，３２ｋＶｐ，３０ｋＶｐ，２８ｋＶｐに設定できる。
【００４５】
この乳房撮影装置２０を用いてＸ線画像検出として輝尽性蛍光プレート２１を用いて撮影されたあと、この輝尽性蛍光プレート２１を画像読取装置２２の読取部２２ａに挿入し、この輝尽性蛍光プレート２１から画像情報を、画像読取装置２２を用いて読み取る。これは画像読取サイズ（Ａ）を８７μｍ，４３．５μｍ、２５μｍとして、ポリゴンミラーを用いてレーザー光を振りながらプレート搬送することで２次元的に輝尽発光を読み取る装置である。輝尽発光は光電子増倍管が用いられる。読取諧調は１６ビットで出力画像諧調は１２ビットで最大画素数は１４０７０×１７１２２である。ここで読み取られた画像信号はパソコンで処理されて、画像表示モニター２３，２４上に表示される。この画像表示モニター２３，２４は液晶カラーモニターで、診断に用いられない。画像読取装置２２の操作パネルを兼ねるものである。このパソコン中で諧調処理や周波数強調処理など画像処理が行なわれる。画像処理後の画像信号情報はドライイメージャ２５に転送されて画像がプリント出力される。
【００４６】
出力画像プリンターはフォトサーマル方式で銀塩感材を用いる。レーザー光源は半導体レーザーであり、画素数が１４×１７インチで、最大８８４８×１０７４８画素である。最少画素サイズは２５μｍ、画像データ入力は８ビットもしくは１２ビットで出力諧調は１４ビットである。使用するフィルムは半切、四つ切、六つ切サイズなどが使用できる。ここで用いる感材は最高画像濃度が３．６である。
【００４７】
画像読取装置２２で得られた画像信号はモニター診断を目的とする液晶モニターが接続されたパソコンへ送らえれる。パソコンのＯＳはＷｉｎｄｏｗ２０００  Ｐｒｏｆｅｓｓｉｏｎａｌ、ネットワークはＥｔｈｅｒｎｅｔ１０／１００Ｂａｓｅ、１８インチのモノクロ液晶モニター上で画像診断することができる。表示画素は２０４８×２５６０で最大輝度は５１２ｎｉｍ、コントラスト比は６００の液晶モニターである。
［撮影実験例］
比較としてまず、従来のスクリーンフィルム乳房撮影システムで、ＡＣＲ  ＲＭＩ１５６ファントム画像を撮影した。
【００４８】
乳房撮影装置は東芝製Ｍｎｍｍｏｒｅｘ  ＭＧＵ−１００Ｄを用いた。焦点サイズ０．３ｍｍ，Ｍｏ／Ｍｏフィルター、グリッドは格子比５：１（格子密度：３１本／ｃｍ）を用いた。密着撮影でＲ１＝０．６５ｍであった。使用したＸ線蛍光増感紙はコニカ製ＭＤ−１００で使用したフィルムはＭＤ−１００を用いた。３２ｋＶｐ設定で４０ｍＡｓ撮影を行なった。現像処理はコニカ製ＳＲＸ−５０２自動現像機で現像処理温度３５℃で９０秒処理を行なった。バック濃度は１．５２であった。得られたＲＭＩ１５６ファントム画像を乳房画像用高輝度シャウカステンで評価したところ、１６点満点で１０．５点であった。
【００４９】
次に、この発明の装置でＲ１＝０．６５ｍ、Ｒ２＝０．４９ｍとして焦点サイズ０．１ｍｍ，Ｍｏ／Ｍｏフィルターでグリッドを使用せず、半切サイズの輝尽性蛍光体プレートコニカ製４Ｍを用いて１．７５倍拡大の画像を撮影した。３２ｋＶｐ設定で４０ｍＡｓで撮影した。画像読取装置コニカ製Ｒｅｇｉｕｓ１７０を用い画像を読み取った。画像処理を行ないＡ／Ｂ＝１．７５としてコニカ製のドライイメージャを用いてプリント出力画像を得た。上記のシャウカステンで画像評価したところ１６点満点中１１．５点が得られた。またＲ１＝０．４３ｍ、Ｒ２＝０．７１ｍとして撮影し、上記と同じ処理をして１．５倍拡大画像を得た。これを評価したところ１６点満点中１３点が得られた。
【００５０】
このように、従来もっともよい乳房Ｘ線画像画質がえられると言われるスクリーン・フィルムシステムより、高い画像評価点数が得られた。
【００５１】
このように、発明のＸ線画像撮影システムを用いることにより、粒状性がよく且つ鮮鋭性のよい被写体と等倍のデジタルＸ線画像を得ることができる。
【産業上の利用可能性】
【００５２】
この発明は、拡大撮影を行い、且つその画像信号を処理して出力画像の大きさを縮小して表示することによって、高画質が得られ、また鮮鋭性と粒状性とを同時に改善するＸ線画像撮影システムであり、特に医療分野で用いられると、例えばデジタルマモグラフィ分野において画像診断の精度の向上が期待される。
【図面の簡単な説明】
【００５３】
【図１】Ｘ線画像撮影システムの概略構成図である。
【図２】Ｘ線画像撮影装置の概略構成図である。
【図３】Ｘ線検出器上での被写体画像のエッジ効果を説明する図である。
【図４】Ｘ線画像撮影システムの実施の形態の概略構成図である。
【符号の説明】
【００５４】
１  Ｘ線画像撮影装置
２  画像処理装置
３  画像プリント出力装置
４  画像表示装置
５  ＣＡＤ
６  画像信号保存装置
【図１】
2005080854.tif 000003
【図２】
2005080854.tif 000004
【図３】
2005080854.tif 000005
【図４】
2005080854.tif 000006